(57)【要約】【課題】  一時記録に対して適切なコピー制御がなされるディジタル放送送信方法を提供する。【解決手段】  放送局側ではディジタル放送の番組の一時記録に関して少なくとも記録可及び記録不可を意味する信号を含む体系のどれかの信号を一時記録制御情報として送信する。また、ディジタル放送の番組に関してコピー可／１世代のみコピー可／コピー禁止を示すコピー世代制御情報についても送信する。受信側ではこの一時記録制御情報を受信し、受信した放送番組を一時記録制御情報に応じて一時記録するあるいは一時記録しない記録制御を行う。【選択図】      図２
2006270974.tif 000002
【特許請求の範囲】
【請求項１】
ディジタル放送の番組を記録した後に再生する際における、現在放送中の時点から遡っ
て視聴可能なシフト可能時間を示すシフト可能制御情報を暗号鍵を用いて暗号化するステ
ップと、
前記ディジタル放送の番組と、前記ディジタル放送の番組に関してコピー可／１世代の
みコピー可／コピー禁止を示すコピー世代制御情報、前記暗号化されたシフト可能制御情
報、および前記暗号化されたシフト可能制御情報の暗号を解くための復号鍵とを多重する
ステップと、
この多重された情報を送信するステップと、
を有することを特徴とするディジタル放送送信方法。
【請求項２】
前記シフト可能制御情報の暗号化は、前記シフト可能制御情報をＥＣＭ（Entitlement 
Control Message）に含めることにより前記シフト可能制御情報を暗号化することを特徴
とする請求項１記載のディジタル放送送信方法。
【請求項３】
ディジタル放送の番組と、このディジタル放送の番組に関してコピー可／１世代のみコ
ピー可／コピー禁止を示すコピー世代制御情報、および前記ディジタル放送の番組を記録
した後に再生する際の視聴可能なシフト可能時間を示し暗号鍵を用いて暗号化されたシフ
ト可能制御情報が含まれたディジタル放送を受信する番組受信手段と、
前記番組受信手段により受信した前記番組を記録媒体に記録させる記録制御手段と、
前記暗号化されたシフト可能制御情報の暗号を解くための復号鍵を用いて前記暗号化さ
れたシフト可能制御情報の暗号を解く暗号復号手段と、
前記記録媒体に記録された前記番組の前記コピー世代制御情報がコピー禁止を示す場合
に、前記番組の前記暗号が解かれたシフト可能時間内のみを遡って再生する再生手段と、
を有することを特徴とするディジタル放送受信装置。
【請求項４】
前記暗号化は、前記シフト可能制御情報をＥＣＭ（Entitlement Control Message）に
含めることにより暗号化されており、
このＥＣＭの暗号を解くことにより前記シフト可能制御情報の暗号を解くことを特徴と
する請求項３記載のディジタル放送受信装置。
【請求項５】
ディジタル放送の番組と、このディジタル放送の番組に関してコピー可／１世代のみコ
ピー可／コピー禁止を示すコピー世代制御情報、および前記ディジタル放送の番組を記録
した後に再生する際の視聴可能なシフト可能時間を示し暗号鍵を用いて暗号化されたシフ
ト可能制御情報が含まれたディジタル放送を受信する番組受信ステップと、
前記番組受信ステップにより受信した前記番組を記録媒体に記録させる記録制御ステッ
プと、
前記暗号化されたシフト可能制御情報の暗号を解くための復号鍵を用いて前記暗号化さ
れたシフト可能制御情報の暗号を解くステップと、
前記記録媒体に記録された前記番組の前記コピー世代制御情報がコピー禁止を示す場合
に、前記番組の前記シフト可能時間内のみを遡って再生する再生ステップと、
を有することを特徴とするディジタル放送受信方法。
【請求項６】
前記暗号化は、前記シフト可能制御情報をＥＣＭ（Entitlement Control Message）に
含めることにより暗号化されており、
このＥＣＭの暗号を解くことにより前記シフト可能制御情報の暗号を解くことを特徴と
する請求項５記載のディジタル放送受信方法。
【発明の詳細な説明】
【技術分野】
【０００１】
この発明は、ディジタル放送の送／受信装置および方法に係わり、特に一時記録の管理
を行う送／受信装置および方法に関する。
【背景技術】
【０００２】
一般的に、ディジタル放送では番組を構成する映像、音声ストリーム等と共に、その番
組のコピーを許すか否かに関する制御情報を番組関連情報として付加し伝送する場合が多
い。伝送されたコピー制御情報は、Ｄ−ＶＨＳなどの記録機器に番組を記録する際に、記
録の可否判定に用いられる。
【０００３】
このコピー制御情報の一例として、ＢＳ／ＣＳ等のディジタル放送に使用する番組配列
情報を規定する、ＡＲＩＢ  ＳＴＤ−Ｂ１０  １．２版に記載されるディジタルコピー制
御記述子のシンタクス構造を図１４に示す。この中にはdigital＿recording＿control＿d
ataというコピー世代制御情報を示す２ビットのフィールドが存在し、それらは図１５に
示すように、「００」「０１」「１０」「１１」がそれぞれ、無条件にコピー可、事業者
により定義、１世代のみコピー可、コピー禁止を意味する。
【０００４】
また、限定受信番組では、送信されるＥＣＭ（Entitlement Control Message）に番組
制御情報が含まれており、その中に録画の可否に関する記録制御情報が含まれていること
がある。ＢＳディジタル放送の限定受信方式を規定するＡＲＩＢ  ＳＴＤ−Ｂ２５  １．
０版によれば、ＥＣＭに基づくＩＣカードとＩＲＤ間のコマンド／レスポンスの一つであ
る契約確認コマンドのレスポンスで、録画制御フィールド（８ビット）が存在する。この
うちの１ビットを挟む３ビットにより図１６に示すように、録画不可、契約者のみ録画可
、録画可を意味する。そして、これらの情報に基づき、受信機では対象番組の記録の可否
判定を行い、処理を実行する。
【０００５】
ところで、最近ではハードディスクなどのランダムアクセスが可能な蓄積メディアなど
を受信機に搭載した場合の有力な機能アイテムの一つに番組のタイムシフト視聴がある。
タイムシフト視聴とは、図１７に示すように、放送中の番組記録を継続しながら任意の時
間に番組の最初から再生して視聴する機能である。この例では、視聴者が８：００ＰＭか
らの番組Ａを録画予約しておいた場合、９：３０ＰＭの番組終了まで待たなくても、任意
の時刻、例えば、８：３０ＰＭから番組Ａの再生視聴を開始できる。
【０００６】
このタイムシフト視聴は、番組の永続的な記録に依らなくとも一時的に記録が可能であ
れば実現可能である。また、通常の番組記録と異なり、再生にある程度の制限、例えば再
生可能期間や再生可能回数があっても実現可能である。
【０００７】
ところが、上述のように、コピー制御情報やＥＣＭ等による契約確認情報では、記録が
可能ならば再生も無制限に可能であり、記録不可ならばリアルタイムでの視聴のみが可能
となるものである。このため、タイムシフト視聴のような一時記録／一時再生を想定した
機能においても記録可能な番組でしか実現できず、コンテンツ供給者の意図を十分に反映
できない上に視聴者の利益も限定したものになってしまう。
【０００８】
このように、受信機でタイムシフト視聴のような一時記録／一時再生で実現可能な機能
を実装する場合、従来のシステムでは記録可能かつ再生無制限な番組でしか実現できない
ため、コンテンツ供給者の意図も十分に反映できず、視聴者の利益を制限してしまうとい
う問題が存在する。
【発明の開示】
【発明が解決しようとする課題】
【０００９】
上述のように、ディジタル放送の番組に関して録音・録画などの記録制御を行う従来の
コピー制御方法ではタイムシフト視聴等に対する一時記録に関してコピー制御がなかった
。したがって、コンテンツ供給者及び視聴者の両者の面から納得のいく適切なコピー制御
がなされないという問題があった。
【００１０】
そこで、本発明は一時記録に対して適切なコピー制御がなされる、ディジタル放送送信
方法、ディジタル放送受信装置および方法を提供することを目的とする。
【課題を解決するための手段】
【００１１】
上記目的を達成するために、ディジタル放送の番組を記録した後に再生する際における
、現在放送中の時点から遡って視聴可能なシフト可能時間を示すシフト可能制御情報を暗
号鍵を用いて暗号化するステップと、前記ディジタル放送の番組と、前記ディジタル放送
の番組に関してコピー可／１世代のみコピー可／コピー禁止を示すコピー世代制御情報、
前記暗号化されたシフト可能制御情報、および前記暗号化されたシフト可能制御情報の暗
号を解くための復号鍵とを多重するステップと、この多重された情報を送信するステップ
と、を有することを特徴とするディジタル放送送信方法を提供する。
【００１２】
また、上記目的を達成するために、ディジタル放送の番組と、このディジタル放送の番
組に関してコピー可／１世代のみコピー可／コピー禁止を示すコピー世代制御情報、およ
び前記ディジタル放送の番組を記録した後に再生する際の視聴可能なシフト可能時間を示
し暗号鍵を用いて暗号化されたシフト可能制御情報が含まれたディジタル放送を受信する
番組受信手段と、前記番組受信手段により受信した前記番組を記録媒体に記録させる記録
制御手段と、前記暗号化されたシフト可能制御情報の暗号を解くための復号鍵を用いて前
記暗号化されたシフト可能制御情報の暗号を解く暗号復号手段と、前記記録媒体に記録さ
れた前記番組の前記コピー世代制御情報がコピー禁止を示す場合に、前記番組の前記暗号
が解かれたシフト可能時間内のみを遡って再生する再生手段と、を有することを特徴とす
るディジタル放送受信装置を提供する。
【００１３】
また、上記目的を達成するために、ディジタル放送の番組と、このディジタル放送の番
組に関してコピー可／１世代のみコピー可／コピー禁止を示すコピー世代制御情報、およ
び前記ディジタル放送の番組を記録した後に再生する際の視聴可能なシフト可能時間を示
し暗号鍵を用いて暗号化されたシフト可能制御情報が含まれたディジタル放送を受信する
番組受信ステップと、前記番組受信ステップにより受信した前記番組を記録媒体に記録さ
せる記録制御ステップと、前記暗号化されたシフト可能制御情報の暗号を解くための復号
鍵を用いて前記暗号化されたシフト可能制御情報の暗号を解くステップと、前記記録媒体
に記録された前記番組の前記コピー世代制御情報がコピー禁止を示す場合に、前記番組の
前記シフト可能時間内のみを遡って再生する再生ステップと、を有することを特徴とする
ディジタル放送受信方法を提供する。
【００１４】
したがって、本発明によれば、一時記録に対して適切なコピー制御を行うことが可能な
、ディジタル放送送信方法、ディジタル放送受信装置および方法が得られる。
【発明の効果】
【００１５】
本発明によれば、一時記録に対して適切なコピー制御がなされる、ディジタル放送送信
方法、ディジタル放送受信装置および方法を得ることができる。したがって、コンテンツ
供給者の意図を反映させて、受信側でのタイムシフト視聴のような機能を多くの番組で実
現しやすくすることができる。
【発明を実施するための最良の形態】
【００１６】
以下、この発明の実施形態を図面を用いて説明する。
（実施形態１）
本発明のこの実施形態は、番組配列情報（ディジタルコピー制御記述子）を利用して番
組の一時記録の可否情報を伝送し、受信装置では一時記録許可された番組がタイムシフト
再生時間の制限を受けるものである。
【００１７】
番組配列情報は、ＰＭＴ（Program Map Table）、ＥＩＴ（Event Information Table）
、ＳＤＴ（Service Definition Table）のいずれかを用いることができる。
【００１８】
図１に、この実施形態によるディジタル放送送信装置の基本構成例を示す。
この送信装置は、映像、音声を符号化するＭＰＥＧ映像符号化器１１、ＭＰＥＧ／ＡＣ
３音声符号化器１２と、符号化された映像、音声をスクランブル処理するスクランブラ１
３及びスクランブラ１７と、映像、音声のスクランブル鍵を発生するスクランブル鍵発生
器１４及びスクランブル鍵発生器１８と、スクランブル鍵を暗号化する際に用いるワーク
鍵を発生するワーク鍵発生器１１０と、この発生器の出力を暗号化してＥＭＭ（Entitlem
ent Management Message）を生成するＥＭＭ生成器１１１と、スクランブル鍵とワーク鍵
から暗号化してＥＣＭ（Entitlement Control Message）を生成するＥＣＭ生成器１６、
ＥＣＭ生成器１９と、一時記録に関する制御情報を定義設定する一時記録制御情報設定器
１１２と、番組関連情報を生成する番組関連情報生成器１１３と、これらの情報を多重化
する多重化器１５と、多重化された信号を誤り訂正符号化するＦＥＣ符号化器１１４と、
符号化された信号を変調する変調器１１５とから成る。
【００１９】
ディジタル放送番組の映像、音声信号は、それぞれＭＰＥＧ映像符号化器１１、ＭＰＥ
Ｇ／ＡＣ３音声符号化器１２に入力される。映像信号はＭＰＥＧ映像符号化器１１で符号
化してスクランブラ１３に出力する。スクランブラ１３では、スクランブル鍵発生器１４
から発生したスクランブル鍵を基に符号化された映像信号にスクランブル処理を施し、多
重化器１５に出力する。
【００２０】
なお、このときスクランブル鍵発生器１４から発生したスクランブル鍵は、ＥＣＭ生成
器１６にも入力され、暗号化してＥＣＭを生成し、共通情報として多重化器１５に出力さ
れる。
【００２１】
音声信号についても同様に、スクランブラ１７を経て多重化器１５に出力される。また
、このときのスクランブル鍵は、スクランブル鍵発生器１８で発生したものを利用し、Ｅ
ＣＭ生成器１９で暗号化してＥＣＭを生成し、同じく多重化器１５に出力する。
【００２２】
更に、これらのスクランブル鍵を暗号化する際に用いるワーク鍵はワーク鍵発生器１１
０で発生し、ＥＭＭ生成器１１１において暗号化してＥＭＭを生成し、個別情報として多
重化器１５へ出力される。
【００２３】
さて、番組に関する一時記録制御情報は、一時記録制御情報設定器１１２で設定され、
番組関連情報生成器１１３へ出力する。番組関連情報生成器１１２ではこの情報やその他
の番組関連情報を記述子、更にはセクションと呼ばれる伝送フォーマットに変換して、多
重化器１５へ出力する。
【００２４】
ここで、ディジタルコピー制御記述子に上記の一時記録に関するコピー制御情報をも設
定（追加定義）した場合の一例を図３に示す。同記述子のディジタルコピー制御情報（２
ビット）において、事業者定義に当たる「０１」を、「コピー禁止かつ一時記録のみ可」
として定義している。
【００２５】
また、他の値に関しては従来の定義と整合性を確保するため、コピー可ならば一時記録
も可、コピー禁止ならば一時記録も不可として解釈するように定義する。
そして、多重化器１５では、各入力ストリームにＰＩＤ（Packet ID）という識別子を
割り当て、１８８バイトの固定長パケットに分割多重し、トランスポートストリーム（Tr
ansport Stream、以下、ＴＳ）としてＦＥＣ（誤り訂正）符号化器１１４に出力する。
【００２６】
ＦＥＣ符号化器１１４では、入力されるＴＳをビタビ符号等の畳み込み符号化やＲＳ（
リードソロモン）符号化により符号化して変調器１１５へ出力する。そして、変調器１１
５では例えば、ＱＡＭやＱＰＳＫ等のディジタル変調処理を行い、Ｄ／Ａ変換後、高周波
（ＲＦ）に変換されて放送信号として出力される。
【００２７】
次に、上述の送信装置により送信されたディジタル放送の受信装置（以下、ＩＲＤ）の
基本構成の一例を図２に示す。
アンテナ端子から入力した高周波のディジタル放送信号は、図示しないチューナを経て
復調器２１に入力される。復調器２１ではＡ／Ｄ変換した後、例えば、ＱＡＭやＱＰＳＫ
等の送信側でディジタル変調処理された信号を復調し、ＦＥＣ（誤り訂正）復号化器２２
に出力される。
【００２８】
ＦＥＣ復号化器２２では、送信側でビタビ符号等の畳み込み符号化やＲＳ（リードソロ
モン）符号化された信号を復号化してデスクランブラ２３に出力する。
デスクランブラ２３では、指定された番組のスクランブルされた映像や音声の信号を、
スクランブル鍵を基にデスクランブルし、セレクタ２４を経由してトランスポート処理器
２５に出力する。
【００２９】
トランスポート処理器２５ではＴＳの形式で多重されてきた、一般には複数のサービス
（放送番組）の中から、リモコンなどの放送番組選択器２６によって指定される所定のサ
ービスを選択してその番組を構成する映像や音声の信号を多重分離し、デパケット処理を
行ってそれぞれの圧縮信号に戻してＭＰＥＧ映像復号化器２７やＭＰＥＧ／ＡＣ３音声復
号化器２８に出力する。
【００３０】
トランスポート処理器２５は、映像、音声と共に多重されているＰＳＩ（Program Spec
ific Information）やＳＩ（Service Information）などの番組関連情報も分離して、番
組関連情報再生器２９に出力する。
【００３１】
そして、ＭＰＥＧ映像復号化器２７ではＤＲＡＭ（図示せず）に復号化された映像フレ
ームを蓄えながら、ＭＰＥＧ２の映像高能率符号化方式で符号化された信号を復号して、
Ｙ、Ｃｂ、Ｃｒのディジタルのコンポーネント信号として出力し、必要に応じＯＳＤ処理
器２１０のグラフィック出力と加算器２１１で重畳処理して出力する。
【００３２】
音声についても同様に、ＭＰＥＧ／ＡＣ３音声復号化器２８において復号化して出力す
る。
なお、このＩＲＤがアナログ出力する場合には、図示していないが加算器２１１の映像
出力は、例えば、ＮＴＳＣエンコーダを経てＮＴＳＣアナログのコンポジット信号に変換
して出力する。また、ＭＰＥＧ／ＡＣ３音声復号化器２８の出力は、音声のＤ／Ａ変換器
に出力しアナログの音声信号として出力する。
【００３３】
これらの信号処理を適切に行うため、マイクロコントローラ２１２が用意され、周辺機
器の支援を行っている。マイクロコントローラ２１２では、例えば放送番組選択器２６な
どからのサービス指定入力に従い、番組関連情報再生器２９で再生されるＰＳＩデータを
解析し、指定されたサービス（番組）を構成する映像、音声などの各伝送識別子をトラン
スポート処理器２５にセットする。
【００３４】
また、デスクランブル処理に必要な関連情報を解析し、このＰＩＤをデスクランブラ２
３にセットする。更に、ＭＰＥＧ映像復号化器２７、ＭＰＥＧ／ＡＣ３音声復号化器２８
、番組関連情報再生器２９、ＯＳＤ処理器２１０などの周辺回路の再生動作を制御する。
【００３５】
特にＯＳＤ処理器２１０には、マイクロコントローラ２１２は、必要に応じ、番組関連
情報再生器２９で保持管理されるデータを加工編集し、ＥＰＧ（電子番組ガイド）表示を
実行するよう指示する。
【００３６】
ところで、このＩＲＤでは記録再生装置２１３がディジタルインターフェース２１４を
介して接続されている。
リモコンなどの記録番組選択器２１７によって、受信中のディジタル放送の多重信号中
からある特定サービスの番組の記録開始が指定されると、この通知を受けたマイクロコン
トローラ２１２は放送信号のリアルタイム再生の場合と同様に、指定された番組関連情報
を解析し、トランスポート処理器２５およびデスクランブラ２３に各伝送識別子を設定す
る。この結果、トランスポート処理器２５では必要な信号を多重分離してディジタルイン
ターフェース２１４を経由して記録再生装置２１３へ出力する。
【００３７】
なお、ＤＶＢでは上記のように番組を選択（複数可）して記録（このストリームをパー
シャルＴＳと呼ぶ）する際には、ＳＭＩ（Storage Media Interoperability Table）と呼
ぶ蓄積関連情報をＩＲＤで作成し、上記のＳＩに代わり挿入することを規定している。
【００３８】
ＳＭＩには、記録選択した番組の情報を記述したＳＩＴ（Selection Information Tabl
e）と、ＳＩの不連続情報を記述するＤＩＴ（Discontinuity Information Table）との２
種類が存在する。
【００３９】
ＳＩＴはＳＩＴ作成器２２１において、選択情報作成器で放送信号中に多重されたＳＩ
の中から記録選択された番組もしくはサービスに関する情報のみを抽出・編集して作成さ
れトランスポート処理器２５において記録信号中に多重される。
【００４０】
また、ＤＩＴはＤＩＴ作成器２２２でＳＩ情報が不連続になり得る時点でこれを示すも
のとしてやはり記録ストリーム中に挿入される。
再生処理の場合には、セレクタ２４および記録番組選択器２１５はいずれも記録再生処
理側の入力を選択出力する。トランスポート処理器２５では、放送受信再生の場合と同様
に、ＴＳ形式の多重信号の中から、リモコンなどの記録番組選択器２１６によって指定さ
れる所定のサービスを選択してその番組を構成する映像や音声の信号を多重分離し、デパ
ケット処理を行ってそれぞれの圧縮信号に戻してＭＰＥＧ映像復号化器１７やＭＰＥＧ／
ＡＣ３音声復号化器２８に出力する。また、映像、音声と共に多重されているＰＳＩやＳ
ＩＴの番組関連情報も分離して番組関連情報再生器２９に出力する。
【００４１】
ここで、このＩＲＤにおける記録制御処理及び再生制御処理に関して、以下に詳しく説
明する。
記録処理に関して、上記のマイクロコントローラ２１２は、図４に示すような手順で番
組の記録を制御する。
まず、ステップＳ４１において、記録開始指示を受け付けると、ステップ４２において
ディジタルコピー制御情報を参照し、ステップＳ４３に移る。ステップＳ４３においてデ
ィジタルコピー制御情報の値が「１１」（コピー禁止かつ一時記録不可）でなければステ
ップＳ４４に移動する。
【００４２】
ステップＳ４４においてディジタルコピー制御情報が「１０」（１世代のみコピー可か
つ一時記録は可）であるか検知される。ディジタルコピー制御情報が「１０」であれば、
ステップＳ４５においてコピー世代管理処理を行い、ステップＳ４６において記録処理を
実行する。
【００４３】
また、ステップＳ４３において「１１」であれば、図３に示すように記録不可を意味す
るから、ステッＳ４７においてその旨をＯＳＤ（On Screen Display）表示するなどの記
録不可処理を実行する。記録処理は記録停止指示を受け付けるまで実行を続ける。
【００４４】
次に、再生処理に関してマイクロコントローラ２１２は、図５に示すような手順で一時
記録番組の再生を制御する。まず、ステップＳ５１において、送受信装置の間で予め決め
られたシフト可能時間Ｓｍａｘを設定する。ステップＳ５２において再生開始指示を受け
付けると、ステップＳ５３において現在時刻と放送終了時刻が比較される。
【００４５】
ステップＳ５３において、現在時刻が放送終了時刻に達していないならばステップＳ５
４に移り、シフト範囲Ｔｓ、即ち（現在時刻−放送開始時刻）と（シフト可能時間）が比
較されそのうちの小さい方の値が取られる。
【００４６】
例えば、シフト可能時間が３０分であり、ある番組が９：００ＰＭか放送開始し現在９
：４０ＰＭになっているとすると、（現在時刻−放送開始時刻）即ち放送経過時間は４０
分となり、シフト可能時間の方が小さいのでシフト範囲Ｔｓは３０分となる。
【００４７】
次に、ステップＳ５５に移り、現在再生位置が（現在時刻−シフト範囲）以上で現在時
刻以下であるか，検知される。即ち、９：１０ＰＭから９：４０ＰＭの範囲で再生できる
。したがって、ステップＳ５６に移り９：１０ＰＭからタイムシフト視聴ができる。
【００４８】
一方、ステップＳ５３において、現在時刻が放送終了時刻を過ぎていれば放送が既に終
了していることになるから、一時記録はなされず、ステップＳ５７において一時記録デー
タが削除される。
【００４９】
以上のように一時記録制御情報を番組配列情報（ディジタルコピー制御記述子）に記載
して伝送することで、受信機ではこの情報に従って番組の一時記録の再生制御を行うこと
ができる。
【００５０】
この実施形態では、通常ディジタル放送の番組と共に送信される番組配列情報を一時記
録制御の情報としても利用するので、新たに信号を付加する必要がない。
（実施形態２）
上記実施形態では、一時記録とは記録が完了する前に再生が開始する場合を意味した。
しかし、一時記録はこれだけでなく、再生の有効期限が設定されそれより前に再生する場
合が一時記録と解釈される場合もある。次に、この種の実施形態であって限定受信関連情
報により一時記録の可否情報を伝送する実施形態について説明する。即ち、送信装置から
は限定受信関連情報を利用して一時記録の可否情報を伝送し、受信装置では一時記録許可
された番組が再生有効期限により制限を受ける。
【００５１】
この実施形態での送信装置の基本構成の一例を図６に示す。
一時記録制御情報設定器６１２にて定義設定される一時記録に関する制御情報は、ＥＣ
Ｍ生成器６６及びＥＣＭ生成器６９に出力されている点だけが、図１に構成を示した実施
形態と異なる。ＥＣＭ生成器６６及びＥＣＭ生成器６９では、暗号化したスクランブル鍵
と共に図７に示すような、一時記録制御を含む１バイトの録画制御情報を設定して多重化
器６５に出力する。
【００５２】
なおこの例では、一時記録制御情報設定器６１２にて定義設定される一時記録に関する
制御情報は番組関連情報生成器６１３に出力していないが、ＥＣＭと番組配列情報に番組
の一時記録制御情報をそれぞれ適宜設定しても構わない。
【００５３】
また、この受信装置の基本的な構成は、上述の第１の実施形態の図２と同様である。
ＥＣＭはＥＭＭと共にトランスポート処理器２５で多重分離され、共通情報、個別情報
として受信機に挿入されたＩＣカード（図示せず）に出力される。ＩＣカードでは暗号化
されたワーク鍵およびスクランブル鍵を復号し、デスクランブラ２３に設定し、映像、音
声等のデスクランブル処理を可能にする。
【００５４】
この実施形態における記録制御の手順を図８に示す。
まず、ステップＳ８１において記録開始の指示を受け付けると、ステップＳ８２でＥＣ
Ｍ受信に基づく契約確認コマンドを発行する。次に、ステップＳ８３においてＩＣカード
からのレスポンスを受け取って録画制御情報を参照する。
【００５５】
ステップＳ８４において、上記録画制御情報の値が「０ｘ００」であれば、図７より、
録画不可を意味するから、ステップＳ８５に移り録画不可の旨をディスプレィ上に表示す
るなどの記録不可処理を行う。
【００５６】
ステップＳ８４において、上記録画制御情報の値が「０ｘ００」でなければ、ステップ
Ｓ８６に移り、「０ｘ１０」であるかどうか検知される。ステップＳ８６において、上記
録画制御情報の値が「０ｘ１０」であれば、図７より録画可を意味するから、ステップＳ
８７に移って記録処理を行う。
【００５７】
ステップＳ８６において、上記録画制御情報の値が「０ｘ１０」でなければ、ステップ
Ｓ８８に移り、「０ｘ０２」であるかどうか検知される。ステップＳ８８において録画制
御情報の値が「０ｘ０２」であれば、図７により一時録画可を意味するから、ステップＳ
８９に移って一時記録の処理を行う。
【００５８】
ステップＳ８８において、上記録画制御情報の値が「０ｘ０２」でなければ、ステップ
Ｓ８１０に移り、「０ｘ０１」であるかどうか検知される。録画制御情報の値が「０ｘ０
１」であれば図７より、契約者のみ録画可であるから、ステップＳ８１１に移り、ＯＳＤ
表示で該当番組を購入するか否か視聴者に選択入力させる。
【００５９】
このステップＳ８１１において、視聴者が購入する旨の入力をした場合にはステップＳ
８１２に移り、記録処理を行う。視聴者が購入しない場合には、記録処理を行わない。
【００６０】
ステップＳ８１０において、上記録画制御情報の値が「０ｘ０１」でなければ、ステッ
プＳ８１３に移り、「０ｘ０３」であるかどうか検知される。録画制御情報の値が「０ｘ
０３」であれば、ステップＳ８１４に移り、ＯＳＤ表示でその番組を購入するか否かを視
聴者に選択入力させる。視聴者がその番組を購入すればステップＳ８１５において一時記
録処理を行う。視聴者が購入しない場合には、記録処理を行わない。
【００６１】
一方、ステップＳ８１３において、上記録画制御情報の値が「０ｘ０３」でなければ、
ステップＳ８１６に移り、「０ｘ０４」であるかどうか検知される。録画制御情報の値が
「０ｘ０４」であれば、図７により「契約者のみ録画可かつ一時録画可」であるから、ス
テップＳ８１７に移り、ＯＳＤ表示で番組を購入するか否かを視聴者に選択入力させる。
【００６２】
ステップＳ８１７において視聴者が購入する旨入力したら、ステップＳ８１８に移り記
録処理を行う。購入しなければ一時録画可であるから、ステップＳ８１９に移り、一時記
録処理を行う。ステップＳ８１６において録画制御情報の値が「０ｘ０４」でなければ、
図７のどれにも該当しないので、ステップＳ８２０に移って所定のエラー処理を実行する
。
【００６３】
次に、この実施形態における再生制御処理の手順を図９を用いて説明する。
まず、ステップＳ９１において、送信装置と受信装置の間で予め決められた再生有効期
限を設定する。ステップＳ９２において、再生開始の指示を受け付けると、ステップＳ９
３に移って現在の日時を参照し、次にステップＳ９４で現在の日時が再生有効期限に達し
ているかどうか検知される。
【００６４】
ステップＳ９４において、現在の日時が再生有効期限を過ぎていないことが確認される
と、ステップＳ９５に移り、再生処理を実行する。
一方、ステップＳ９４で現在の日時が再生有効期限を過ぎていることが判明すると、ス
テップＳ９６に移って、当該視聴者が視聴契約を更新しているか確認する。ステップＳ９
６で視聴契約の更新が確認されると、ステップＳ９７に移ってその契約内容を参照する。
【００６５】
ステップＳ９７で契約内容を参照し、ステップＳ９８で再生が許されているかどうかを
確認する。再生が可能であることが確認されると、ステップＳ９９に移って再生処理を実
行する。
【００６６】
ステップＳ９８において再生不可であることが確認された場合及び、ステップＳ９６に
おいて、当該視聴者により契約更新がなされていないことが確認された場合には、いずれ
もステップＳ９１０に移って、再生できない旨を表示するなどの再生不可処理を実行する
。
【００６７】
以上この実施形態にて述べたように、一時記録の制御情報を送信装置から限定受信関連
情報に記載して伝送し、受信装置ではこの限定受信関連情報に含まれている一時記録の制
御情報に従って番組の一時記録の再生制御を行うことができる。
【００６８】
また、一時記録を再生有効期限を越えない期間での視聴と定義することも可能である。
なお、制限を越えていることにより一旦再生禁止された一時記録番組を、視聴契約を更改
することによって再生できるようにすることも可能である。
【００６９】
（実施形態３）
一時記録は、再生が所定回数以下であることと定義することもできる。また、一時記録
の制御情報は独立に伝送することもできる。
この実施形態では、番組配列情報で記述子を新しく定義して一時記録制御情報を送信装
置から伝送し、受信装置では一時記録許可された番組の再生が所定回数を越えたときに再
生の制限を受ける。
【００７０】
送信装置及び受信装置の構成は、それぞれ実施形態の図１、２と同様である。
送信側では、図１に示した一時記録制御情報設定器１１２の出力を基に番組関連情報生
成器１１３において、例えば図１０（ａ）（ｂ）（ｃ）に示すような記述子を定義、作成
する。
【００７１】
作成された記述子は、ＰＭＴやＥＩＴなどの該当テーブルセクションに記載して、多重
化器１５に出力される。この新しく定義し作成された記述子をここでは、一時記録制御記
述子と名づける。
【００７２】
ここで、図１０（ａ）における一時記録制御記述子temporal＿digital＿recordability
＿flagは、一時記録が許されるか否かを表し、例えば図１０（ｂ）に示すようにこの１ビ
ットが「０」のとき、一時記録はできず、「１」のとき一時記録が許可される。
【００７３】
図１０（ａ）におけるnum＿of＿replayフィールドは、対象番組が一時記録された場合
の再生可能回数（０〜１５）であり、送信側で設定される。
図１０（ａ）におけるover＿process＿controlフィールドは、一時記録番組が上記のよ
うに規定したnum＿of＿replayを超えた際の処理を規定するものであり、やはり送信側で
設定される。そして、図１０（ｃ）に示すように、この値が「０１０」である場合には、
一時記録番組の再生を時間的に制限することを意味する．したがって、この場合には再生
を時間的に制限し、図１１に示すような表示制御のパラメータを設定する。
【００７４】
図１１において、partial＿replay＿unitは、一時記録番組の番組開始からの部分再生
の単位であり、この周期を番組終了まで繰り返す。ここで、partial＿replay＿on＿time
はpartial＿replay＿unit期間内の表示時間、partial＿replay＿off＿timeはそれに続く
非表示時間を規定している。
【００７５】
一方、受信側では、一時記録制御記述子を初めとする番組関連情報を図２の番組関連情
報再生器２９で再生、解析して記録制御する。この手順を図１２を用いて説明する。この
場合のディジタルコピー制御情報は「１１」の場合を除き、図３に基づいて判断される。
【００７６】
まず、ステップＳ１２１において記録開始指示を受け付けると、ステップＳ１２２にお
いてディジタルコピー制御記述子に記載のディジタルコピー制御情報を参照する。
【００７７】
ステップＳ１２３において、このディジタルコピー制御情報の値が「１１」であるかど
うかチェックされる。ステップＳ１２３で、ディジタルコピー制御情報の値がコピー禁止
を意味する「１１」でなければ、ステップＳ１２４に移り、この値が「１０」であるかど
うかチェックされる。
【００７８】
ステップＳ１２４において、ディジタルコピー制御情報の値が「１０」であれば、図３
より「１世代のみコピー可」を意味するから、ステップＳ１２５においてコピー世代管理
の処理が行われ、次にステップＳ１２６において記録処理を実行する。
【００７９】
一方、ステップＳ１２３においてディジタルコピー制御情報の値が「１１」であれば、
ステップＳ１２７において図１０（ａ）における一時記録制御記述子temporal＿digital
＿recordability＿flagがチェックされる。
【００８０】
ステップＳ１２７において一時記録制御記述子temporal＿digital＿recordability＿fl
agが「１」であれば、ステップＳ１２８に移り一時記録処理を実行する。
【００８１】
ステップＳ１２７において一時記録制御記述子temporal＿digital＿recordability＿fl
agが「１」でなければ、ステップＳ１２９に移って、記録が許されない旨をスクリーン画
面上に表示するなどの記録不可処理を実行する。
【００８２】
なお、記録処理のルーチンは、記録停止指示を受け付けるまで実行を続ける。
次に、この一時記録の場合の再生制御の手順を図１３により説明する。
まず、ステップＳ１３１において一時記録制御記述子のnum＿of＿replayフィールドで
規定される再生可能回数を設定し、ステップＳ１３２において再生回数をゼロにリセット
しておく。
【００８３】
ステップＳ１３３において再生開始の指示を受け付けると、ステップＳ１３４に移り、
再生回数ＲＮと再生可能回数ＲＮｍａｘを比較する。ステップＳ１３４において、再生回
数ＲＮが再生可能回数ＲＮｍａｘ以下ならば、ステップＳ１３５に移り、通常の再生処理
を実行し、次にステップＳ１３６に移り再生回数ＲＮをインクリメントする。
【００８４】
ステップＳ１３４において、再生回数ＲＮが再生可能回数ＲＮｍａｘを超えている場合
、ステップＳ１３７に移り、over＿process＿controlフィールドの値が「０００」かどう
かチェックされる。
【００８５】
ステップＳ１３７において、over＿process＿controlフィールドの値が「０００」であ
った場合には、図１０（ｃ）により、「一時記録番組データの削除」を意味するから、ス
テップＳ１３８に移って一時記録データを削除する。
【００８６】
一方、ステップＳ１３７において、over＿process＿controlフィールドの値が「０００
」でなかった場合には、ステップＳ１３９に移り、この値が「００１」であるかどうかチ
ェックされる。ステップＳ１３９において、over＿process＿controlフィールドの値が「
００１」である場合には、図１０（ｃ）により、「一時記録番組の再生禁止」を意味する
から、ステップＳ１３１０に移って、再生禁止処理を実行する。
【００８７】
ステップＳ１３９において、over＿process＿controlフィールドの値が「００１」でな
い場合には、ステップＳ１３１１に移って、over＿process＿controlフィールドの値が「
０１０」であるか否かチェックされる。
【００８８】
ステップＳ１３１１において、over＿process＿controlフィールドの値が「０１０」で
あるならば、図１０（ｃ）より「一時記録番組の再生を時間的に制限」を意味するから、
ステップＳ１３１２において、図１１のパラメータ設定に従って番組に部分再生を実行し
、効果制御を実現する。即ち、所定時間毎に画面を再生することになり、視聴者に再び契
約して完全な再生画像を見たい気を起こさせる。
【００８９】
なお、この例では時間的な部分再生を例に説明したが、空間的に再生を制限する、即ち
画面の一部のみを見ることができるようにしたり、解像度に制限を加えてぼかして再生す
るようにしてもよい。
【００９０】
この実施形態では、送信側から一時記録制御情報を記述子を定義して番組配列情報に記
載して送信し、受信装置ではこの情報に従って番組の一時記録再生制御を行うことができ
る。この実施形態では、再生回数の制限を越えた場合に効果制御を行うこともできる。
【００９１】
以上説明したように、一時記録は、記録が終了するより前の時点から再生すること、再
生有効期限以前に再生すること、あるいは再生が所定回数以下の場合であることなどと定
義することができる。
【００９２】
また、この一時記録の制御情報は、ディジタル放送の番組の記録に関して制御を行う情
報に加えて意味付けして送信することもでき、また限定受信されるディジタル放送の番組
の記録に関して制御を行う情報に加えて意味付けして送信することもできるし、一時記録
の記録制御情報として独立して送信することもできる。この一時記録制御情報の送る方法
と前記一時記録の定義とは全く独立に選択できる。
【００９３】
通常、一時記録はどのような場合であるか、送信及び受信装置間で予め取り決めておく
ことも、あるいはその定義を制御情報に先だって送信側から受信側に送ることもできる。
また、一時記録の制御情報が送られてこない場合には、どのように解釈するか前もって決
めておくこともできる。
【図面の簡単な説明】
【００９４】
【図１】本発明の一実施形態における送信装置の構成例を示す図。
【図２】本発明の一実施形態における受信装置の構成例を示す図。
【図３】本発明の一実施形態におけるディジタルコピー制御情報の意味の一例を説明するための図。
【図４】本発明の一実施形態における記録制御の解釈手順を説明するための図。
【図５】本発明の一実施形態における再生制御の解釈手順を説明するための図。
【図６】本発明の他の実施形態における送信装置の構成例を示す図。
【図７】本発明の他の実施形態における記録制御情報の意味の一例を説明するための図。
【図８】本発明の他の実施形態における記録制御の解釈手順を説明するための図。
【図９】本発明の他の実施形態における再生制御の解釈手順を説明するための図。
【図１０】本発明の更に他の実施形態における一時記録制御記述子の構造の一例を説明するための図。
【図１１】本発明の更に他の実施形態における時間的な部分再生を説明するための図。
【図１２】本発明の更に他の実施形態における記録制御の解釈手順を説明するための図。
【図１３】本発明の更に他の実施形態における再生制御の解釈手順を説明するための図。
【図１４】従来のディジタルコピー制御記述子のシンタクス構造の一例を説明するための図。
【図１５】従来のディジタルコピー制御情報の一例を説明するための図。
【図１６】従来の限定受信放送の録画制御情報の一例を説明するための図。
【図１７】従来のタイムシフト視聴を説明するための図。
【符号の説明】
【００９５】
１１，６１…ＭＰＥＧ映像符号化器、１２，６２…ＭＰＥＧ／ＡＣ３音声符号化器、１
３，１７，６３，６７…スクランブラ、１４，１８，６４，６８…スクランブル鍵発生器
、１５，６５…多重化器、１６，１９，６６，６９…ＥＣＭ生成器、２１…復調器、２２
…ＦＥＣ復号化器、２３…デスクランブラ、２４…セレクタ、２５…トランスポート処理
器、２６…放送番組選択器、２７…ＭＰＥＧ映像復号化器、２８…ＭＰＲＥＧ／ＡＣ３音
声復号化器、２９…番組関連情報再生器、１１０，６１０…ワーク鍵発生器、１１１，６
１１…ＥＭＭ生成器、１１２…一時記録制御情報設定器、１１３…番組関連情報生成器、
１１４、６１４…ＦＥＣ符号化器、１１５…変調器、２１０…ＯＳＤ処理器、２１１…加
算器、２１２…マイクロコントローラ、２１３…記録再生装置、２１４…ディジタルイン
ターフェース、２１６…再生番組選択器、２２１…ＳＩＴ作成器、２２２…ＤＩＴ作成器
。
【図１】
2006270974.tif 000003
【図２】
2006270974.tif 000004
【図３】
2006270974.tif 000005
【図４】
2006270974.tif 000006
【図５】
2006270974.tif 000007
【図６】
2006270974.tif 000008
【図７】
2006270974.tif 000009
【図８】
2006270974.tif 000010
【図９】
2006270974.tif 000011
【図１０】
2006270974.tif 000012
【図１１】
2006270974.tif 000013
【図１２】
2006270974.tif 000014
【図１３】
2006270974.tif 000015
【図１４】
2006270974.tif 000016
【図１５】
2006270974.tif 000017
【図１６】
2006270974.tif 000018
【図１７】
2006270974.tif 000019